(57)【要約】【課題】所定時間内における複数回のＳＩＰセッション確立・切断の繰り返しによる複数回の課金発生を回避することのできるＳＩＰアダプテーション装置を得る。【解決手段】ＳＩＰセッション確立時間計測部１２は、ＳＩＰアダプテーション部１１からＳＩＰセッション確立の通知を受け取った時点で経過時間の計測を開始する。ＳＩＰアダプテーション部１１は、ＳＩＰセッションにて張られるＴＣＰコネクションが切断された際に、経過時間が予め定められた通信課金単位の残り時間である切断許可時間内であるかを判定し、そうであった場合はＳＩＰセッションを切断、そうでなかった場合はＳＩＰセッションをそのまま継続する。【選択図】図１
2012109654.tif 000002
【特許請求の範囲】
【請求項１】
接続されたＩＰ端末装置からのコネクション接続要求に応じて所定のネットワークを介した着側のＳＩＰアダプテーション装置との間でＳＩＰセッションを確立するＳＩＰアダプテーション部と、
前記ＳＩＰアダプテーション部からのＳＩＰセッション確立の通知を受け取り、ＳＩＰセッション確立後の経過時間を測定するＳＩＰセッション確立時間計測部とを備え、
前記ＳＩＰアダプテーション部は、ＳＩＰセッション確立時間計測部の計測時間をもとに、ＳＩＰセッション切断を判定することを特徴とするＳＩＰアダプテーション装置。
【請求項２】
ＳＩＰセッション確立時間計測部は、ＳＩＰセッション確立の通知を受け取った時点で、当該ＳＩＰセッション確立後の経過時間の計測を開始し、
ＳＩＰアダプテーション部は、前記ＳＩＰセッションにて張られるＴＣＰコネクションが切断された際に、前記経過時間が予め定められた通信課金単位の残り時間である切断許可時間内であるかを判定し、そうであった場合は前記ＳＩＰセッションを切断し、前記切断許可時間内でなかった場合は前記ＳＩＰセッションを継続することを特徴とする請求項１記載のＳＩＰアダプテーション装置。
【請求項３】
ＳＩＰセッション確立時間計測部は、ＳＩＰセッション確立の通知を受け取った時点で、当該ＳＩＰセッション確立後の経過時間の計測を開始し、
ＳＩＰアダプテーション部は、前記経過時間が予め定められた通信課金単位の残り時間である切断許可時間内の時点で、前記ＳＩＰセッションを介して接続しているＴＣＰコネクションの有無を確認し、当該ＴＣＰコネクションがあれば前記ＳＩＰセッションを継続し、前記ＴＣＰコネクションがなければ前記ＳＩＰセッションを切断することを特徴とする請求項１記載のＳＩＰアダプテーション装置。
【発明の詳細な説明】
【技術分野】
【０００１】
この発明は、ＳＩＰ（Ｓｅｓｓｉｏｎ  Ｉｎｉｔｉａｔｉｏｎ  Ｐｒｏｔｏｃｏｌ）を用いた音声・データ通信の従量課金サービスにおいて、従量課金単位時間内でのＳＩＰセッションの切断・接続の繰り返しを回避するためのＳＩＰセッション制御を行うＳＩＰアダプテーション装置に関するものである。
【背景技術】
【０００２】
次世代ネットワーク（ＮＧＮ：Ｎｅｘｔ  Ｇｅｎｅｒａｔｉｏｎ  Ｎｅｔｗｏｒｋ）における通信では、接続先を電話番号で特定し、ＳＩＰによりセッション制御を行うため、ＮＧＮに接続するＩＰ（Ｉｎｔｅｒｎｅｔ  Ｐｒｏｔｏｃｏｌ）端末装置は、ＳＩＰによるセッション制御機能を有している必要がある。しかしながら、現在使用している従来の端末の中には、ＳＩＰセッション機能を有さない端末装置も多い。そこで、ＳＩＰセッション機能を有さないＩＰ端末装置をＮＧＮへ接続するために、ＳＩＰによるセッション制御を代行するＳＩＰアダプテーション装置が必要となる。このＳＩＰアダプテーション装置では、ＩＰ端末装置からのＴＣＰコネクション要求を契機に、着側のＳＩＰアダプテーション装置との間でＳＩＰセッションを確立する。ＳＩＰセッションが確立されたら、発側のＩＰ端末装置と着側のＩＰ端末の間でＴＣＰ（Ｔｒａｎｓｍｉｓｓｉｏｎ  Ｃｏｎｔｒｏｌ  Ｐｒｏｔｏｃｏｌ）コネクション接続を行い、データ通信端末間でデータ通信を行う。データ通信が終了すると、ＴＣＰコネクションが切断され、他にコネクションが確立されていなければ、ＳＩＰセッションも切断される。
【０００３】
一方、ゲートウェイ装置が配下の通信装置から発行された呼制御メッセージを複数検出した場合、検出した呼制御メッセージの一部あるいは全部を集約して新たな呼制御用メッセージを生成し、対向するゲートウェイ装置に送信するようにしたものがあった（例えば、特許文献１参照）。
【先行技術文献】
【特許文献】
【０００４】
【特許文献１】特開２００９−２１８６３１号公報
【発明の概要】
【発明が解決しようとする課題】
【０００５】
データ通信の終了時にＴＣＰコネクションが切断されると、ＳＩＰアダプテーション装置は同ＳＩＰセッション内に他のＴＣＰコネクションが接続されているか確認し、他のＴＣＰコネクションが接続されていなければ、ＳＩＰセッションを切断する。よって、ＩＰ端末装置で使用しているデータ通信アプリケーションが、ＴＣＰコネクションの接続・切断を繰り返す仕様であった場合、他にＴＣＰコネクションがない条件であれば、ＳＩＰセッションも確立・切断を繰り返すことになる。このとき、従量課金サービスにおいて、単位時間内にＳＩＰセッション確立・切断を繰り返すことになり、ＳＩＰセッションを確立するたびに課金されてしまうという問題があった。
【０００６】
また、特許文献１に記載された装置であっても、課金単位時間内のセッション切断に関しては規定されていないため、課金単位時間内に複数回のセッションが発生した場合、セッション毎に課金が発生してしまうという問題があった。
【０００７】
この発明は上記のような課題を解決するためになされたもので、所定時間内における複数回のＳＩＰセッション確立・切断の繰り返しによる複数回の課金発生を回避することのできるＳＩＰアダプテーション装置を得ることを目的とする。
【課題を解決するための手段】
【０００８】
この発明に係るＳＩＰアダプテーション装置は、接続されたＩＰ端末装置からのコネクション接続要求に応じて所定のネットワークを介した着側のＳＩＰアダプテーション装置との間でＳＩＰセッションを確立するＳＩＰアダプテーション部と、ＳＩＰアダプテーション部からのＳＩＰセッション確立の通知を受け取り、ＳＩＰセッション確立後の経過時間を測定するＳＩＰセッション確立時間計測部とを備え、ＳＩＰアダプテーション部は、ＳＩＰセッション確立時間計測部の計測時間をもとに、ＳＩＰセッション切断を判定するようにしたものである。
【発明の効果】
【０００９】
この発明のＳＩＰアダプテーション装置は、ＳＩＰセッション確立後の経過時間に基づいてＳＩＰセッション切断を判定するようにしたので、所定時間内における複数回のＳＩＰセッション確立・切断の繰り返しによる複数回の課金発生を回避することができる。
【図面の簡単な説明】
【００１０】
【図１】この発明の実施の形態１によるＳＩＰアダプテーション装置を示す構成図である。
【図２】この発明の実施の形態１によるＳＩＰアダプテーション装置におけるＴＣＰコネクションとＳＩＰセッションの状態を示した説明図である。
【図３】この発明の実施の形態２によるＳＩＰアダプテーション装置におけるＴＣＰコネクションとＳＩＰセッションの状態を示した説明図である。
【発明を実施するための形態】
【００１１】
実施の形態１．
図１は、この発明の実施の形態１によるＳＩＰアダプテーション装置を示す構成図である。
図１において、ＳＩＰアダプテーション装置１ａにはＩＰ端末装置２ａが接続され、また、ネットワーク３経由で対向側のＳＩＰアダプテーション装置１ｂと接続されている。対向側のＳＩＰアダプテーション装置１ｂにも同様にＩＰ端末装置２ｂが接続されている。ＳＩＰアダプテーション装置１ａ，１ｂは、それぞれＩＰ端末装置２ａ，２ｂをネットワーク３へ接続するために、ＳＩＰによるセッション制御を代行する装置であり、ＩＰ端末装置２ａ，２ｂは、ＳＩＰセッション機能を有さないＩＰ端末である。また、ネットワーク３は、ＮＧＮといったネットワークである。
【００１２】
ＳＩＰアダプテーション装置１ａ，１ｂは、ＩＰ端末装置２ａ，２ｂからのコネクション要求により、対向側のＳＩＰアダプテーション装置１ｂ，１ａとの間でＳＩＰセッションを確立するＳＩＰアダプテーション部１１と、ＳＩＰアダプテーション部１１からの接続情報により、ＳＩＰセッション確立経過時間を測定するＳＩＰセッション確立時間計測部１２を備えている。即ち、ＳＩＰアダプテーション部１１は、ＳＩＰセッションにて張られるＴＣＰコネクションが切断された際に、ＳＩＰセッション確立時間計測部１２で計測する経過時間が予め定められた通信課金単位の残り時間である切断許可時間内であった場合はＳＩＰセッションを切断するよう構成されている。また、ＳＩＰセッション確立時間計測部１２は、ＳＩＰアダプテーション部１１からＳＩＰセッション確立の通知を受け取った時点でそのＳＩＰセッション確立後の経過時間の計測を開始するよう構成されている。なお、ＳＩＰアダプテーション装置１ｂも同様の構成であるが、ＳＩＰアダプテーション部１１とＳＩＰセッション確立時間計測部１２の図示は省略している。
【００１３】
次に、実施の形態１の動作について説明する。
ＩＰ端末装置２ａは、対向側のＩＰ端末装置２ｂとの間でデータ通信を行う場合、ＳＩＰアダプテーション装置１ａに対してＳＹＮメッセージを送出する。ＳＩＰアダプテーション装置１ａは、ＩＰ端末装置２ａからのＳＹＮメッセージにより、ＴＣＰコネクション要求を検出し、対向側のＳＩＰアダプテーション装置１ｂに対してＳＩＰセッション接続要求（ＩＮＶＩＴＥ）を送出する。ＳＩＰアダプテーション装置１ｂでは、ＳＩＰアダプテーション装置１ａからのＩＮＶＩＴＥフレームを受信すると、ＩＰ端末装置２ｂが接続可能であることを確認し、ＳＩＰアダプテーション装置１ａにＡＣＫを送出する。ＳＩＰアダプテーション装置１ａではＳＩＰアダプテーション装置１ｂからのＡＣＫメッセージを受信すると、ＡＣＫメッセージを送出してＳＩＰセッションを確立する。ＳＩＰセッションを確立した後、ＳＩＰアダプテーション装置１ａは、確立したＳＩＰセッションを介して、ＩＰ端末装置２ａからのＳＹＮメッセージを、対向側のＩＰ端末装置２ｂへ送出する。ＳＹＮメッセージを受けたＩＰ端末装置２ｂはＩＰ端末装置２ａへＳＹＮ−ＡＣＫメッセージを返して、接続可能であることを伝える。ＩＰ端末装置２ａは、ＡＣＫメッセージで応答し、ＩＰ端末装置２ｂとの間でＴＣＰコネクションが接続される。そして、ＩＰ端末装置２ａとＩＰ端末装置２ｂとの間でデータ通信を開始する。
【００１４】
一方、ＳＩＰアダプテーション装置１ａでは、ＳＩＰセッションが確立すると、ＳＩＰアダプテーション部１１からＳＩＰセッション確立時間計測部１２へ、ＳＩＰセッション確立後の時間測定を開始するよう指示を出す。これにより、ＳＩＰセッション確立時間計測部１２では、時間計測を開始する。なお、ＳＩＰセッション確立時間計測部１２における時間計測はＳＩＰセッション毎の経過時間であり、ＳＩＰアダプテーション部１１からのＳＩＰセッション確立通知毎に新たな時間計測を開始する。
その後、データ通信が終了すると、ＩＰ端末装置２ａと対向側のＩＰ端末装置２ｂ間でＦＩＮメッセージを送出しあい、ＦＩＮ−ＡＣＫメッセージにてＴＣＰコネクションを切断する。ＳＩＰアダプテーション装置１ａのＳＩＰアダプテーション部１１では、ＦＩＮ−ＡＣＫメッセージを検出し、ＴＣＰコネクションの切断を検出すると、ＳＩＰセッション確立時間計測部１２からの情報により、ＳＩＰセッション確立後の経過時間を確認する。この経過時間が課金単位時間内である場合、すぐにＳＩＰセッションを切断するのではなく、課金単位時間直前まで、対向側のＳＩＰアダプテーション装置１ｂへのＢＹＥフレームを送出せずに、ＳＩＰセッションを継続することとする。
【００１５】
図２は、ＩＰ端末装置２ａ，２ｂの動作と、ＳＩＰセッションの状態を示した説明図である。
図２に従って、ＳＩＰセッション状態とＴＣＰコネクション状態を説明する。図２では、通信課金単位時間内に３つのＴＣＰコネクションの接続、切断が発生した例を示している。最初のＴＣＰコネクション１の接続要求によりＳＩＰセッション１が確立される。ＴＣＰコネクション１およびＴＣＰコネクション２の切断時には、接続保持時間内であり、ＳＩＰセッションは切断することなく、継続とする。即ち、ＳＩＰアダプテーション部１１は、ＴＣＰコネクション１およびＴＣＰコネクション２の切断時にＳＩＰセッション確立時間計測部１２が計測する経過時間を確認するが、切断許可時間には達していないため、ＳＩＰセッションはそのまま継続する。よって、それぞれ次のＴＣＰコネクションであるＴＣＰコネクション２およびＴＣＰコネクション３でも同じＳＩＰセッションを使用してデータ通信を行う。一方、ＴＣＰコネクション３の切断時は、通信課金単位時間満了直前の切断許可時間であるため、ＳＩＰアダプテーション部１１は、ＴＣＰコネクション３の切断に合わせて、ＳＩＰセッションの切断処理を行う。このように、従来であれば、３回の課金が発生するところが、ＳＩＰセッションを継続することで１回の課金で複数のＴＣＰコネクションに対応することが出来る。
【００１６】
このように、実施の形態１では、ＳＩＰセッション確立後の経過時間を測定し、課金単位時間の直前まではＳＩＰセッション接続保持時間とすることで、１回のＳＩＰセッション確立で複数のＴＣＰコネクション接続を可能とし、従量課金サービスにおいて、課金発生を抑えることが可能となる。
【００１７】
以上のように、実施の形態１のＳＩＰアダプテーション装置によれば、接続されたＩＰ端末装置からのコネクション接続要求に応じて所定のネットワークを介した着側のＳＩＰアダプテーション装置との間でＳＩＰセッションを確立するＳＩＰアダプテーション部と、ＳＩＰアダプテーション部からのＳＩＰセッション確立の通知を受け取り、ＳＩＰセッション確立後の経過時間を測定するＳＩＰセッション確立時間計測部とを備え、ＳＩＰアダプテーション部は、ＳＩＰセッション確立時間計測部の計測時間をもとに、ＳＩＰセッション切断を判定するようにしたので、所定時間内における複数回のＳＩＰセッション確立・切断の繰り返しによる複数回の課金発生を回避することができる。
【００１８】
また、実施の形態１のＳＩＰアダプテーション装置によれば、ＳＩＰセッション確立時間計測部は、ＳＩＰセッション確立の通知を受け取った時点で、ＳＩＰセッション確立後の経過時間の計測を開始し、ＳＩＰアダプテーション部は、ＳＩＰセッションにて張られるＴＣＰコネクションが切断された際に、経過時間が予め定められた通信課金単位の残り時間である切断許可時間内であるかを判定し、そうであった場合はＳＩＰセッションを切断し、切断許可時間内でなかった場合はＳＩＰセッションを継続するようにしたので、課金単位時間内に複数回のＴＣＰコネクションが発生した場合であってもＴＣＰコネクション毎の課金発生を回避することができる。
【００１９】
実施の形態２．
実施の形態１では、ＳＩＰセッション確立後の経過時間を測定し、ＴＣＰコネクション切断時にＳＩＰセッションを切断するか否かの判定を行うことで、１回のＳＩＰセッション確立で複数のＴＣＰコネクション接続を可能とした。しかし、ＴＣＰコネクションの切断がＳＩＰセッションの切断許可時間内に発生しなければ（例えば、後述する図３に示すような場合であれば）、そのままＳＩＰセッションが継続されてしまい、不要な課金が発生する可能性が考えられる。
【００２０】
そこで、実施の形態２では、課金単位時間満了の直前の切断許可時間内にＴＣＰコネクションが全て切断されていれば、当該ＳＩＰセッションを切断することとし、ＳＩＰセッション継続による不要な課金の発生を回避するようにしたものである。図面上の構成は実施の形態１と同様であるため図１を用いて説明する。
【００２１】
実施の形態２のＳＩＰアダプテーション部１１は、ＳＩＰセッション確立時間計測部１２で計測する経過時間が予め定められた通信課金単位の残り時間である切断許可時間内の時点で、ＳＩＰセッションを介して接続しているＴＣＰコネクションの有無を確認し、ＴＣＰコネクションがあればＳＩＰセッションを継続し、ＴＣＰコネクションがなければＳＩＰセッションを切断するよう構成されている。また、ＳＩＰセッション確立時間計測部１２は、実施の形態１と同様に、ＳＩＰアダプテーション部１１からＳＩＰセッション確立の通知を受け取った時点で、ＳＩＰセッション確立後の経過時間の計測を開始するよう構成されている。
【００２２】
次に、実施の形態２の動作について説明する。
図３は、実施の形態２における、ＩＰ端末装置２ａ，２ｂの動作と、ＳＩＰセッションの状態を示した説明図である。
図３に従ってＳＩＰセッション状態とＴＣＰコネクション状態を説明する。図３では、接続保持時間内に２回のＴＣＰコネクションが接続され、切断許可時間の時点ではＴＣＰコネクションは接続されていない例を示す。ＴＣＰコネクションの切断を契機にＳＩＰセッションの切断を実施するのではなく、一度ＴＣＰコネクションが接続されると、ある一定時間（接続保持時間）はＳＩＰセッションを継続し、再度ＴＣＰコネクションの接続要求があった場合は、同ＳＩＰセッションを使用して接続を行う。この点は実施の形態１と同様である。一方、実施の形態２では、ＳＩＰアダプテーション部１１が課金単位時間満了直前の一定期間（切断許可時間）にＴＣＰコネクション状態を確認し、ＴＣＰコネクションが接続されていなければ、課金単位時間内で、ＳＩＰセッションを切断する。
【００２３】
このように、実施の形態２では、一旦ＴＣＰコネクションが張られると、一定時間が経過するまではＳＩＰセッションを張ることで、その間の複数のＴＣＰコネクションに対応することができると共に、課金単位時間前にＴＣＰコネクション接続状態を確認することで、無駄にＳＩＰセッション接続を継続することなく、不要な課金発生を回避することができる。
【００２４】
以上のように実施の形態２のＳＩＰアダプテーション装置によれば、ＳＩＰセッション確立時間計測部は、ＳＩＰセッション確立の通知を受け取った時点で、ＳＩＰセッション確立後の経過時間の計測を開始し、ＳＩＰアダプテーション部は、経過時間が予め定められた通信課金単位の残り時間である切断許可時間内の時点で、ＳＩＰセッションを介して接続しているＴＣＰコネクションの有無を確認し、ＴＣＰコネクションがあればＳＩＰセッションを継続し、ＴＣＰコネクションがなければＳＩＰセッションを切断するようにしたので、課金単位時間内に複数回のＴＣＰコネクションが発生した場合であってもＴＣＰコネクション毎の課金発生を回避することができると共に、無駄にＳＩＰセッション接続を継続することなく、不要な課金発生を回避することができる。
【００２５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２６】
１ａ，１ｂ  ＳＩＰアダプテーション装置、２ａ，２ｂ  ＩＰ端末装置、３  ネットワーク、１１  ＳＩＰアダプテーション部、１２  ＳＩＰセッション確立時間計測部。
【図１】
2012109654.tif 000003
【図２】
2012109654.tif 000004
【図３】
2012109654.tif 000005